(57)【要約】      （修正有）【課題】ユーザの操作忘れによる料金所ゲートロックの危険性回避を実現し、又、複数の携帯通信端末から登録設定された場合における排他処理を実現することができる有料道路料金収受システム、有料道路料金収受方法およびＥＴＣ車載装置を提供する。【解決手段】料金所出入口に設置されたゲート装置との間で無線通信を行うＥＴＣ車載装置と、前記ＥＴＣ車載装置との間で無線通信を行って通行料金の決済を行うＥＴＣカード機能を備える携帯通信端末とを有する有料道路料金収受システムにおいて、前記携帯通信端末は、通行料金の決済に用いる携帯通信端末を識別する識別情報を生成する識別情報生成手段と、識別情報送信手段とを備え、前記ＥＴＣ車載装置は、識別情報受信手段と、前記識別情報を記録する識別情報記録手段と、受信する識別情報と事前に記録されている識別情報とを参照して通行料金の決済を行う携帯通信端末を決定する決済端末決定手段とを備える。【選択図】図３
2007102546.tif 000002
【特許請求の範囲】
【請求項１】
料金所出入口に設置されたゲートの開閉を制御するゲート装置と、前記ゲート装置との間で無線通信を行って通行料金情報を収受するＥＴＣ車載装置と、前記ＥＴＣ車載装置との間で無線通信を行って通行料金の決済を行うＥＴＣカード機能を備える携帯通信端末とを有する有料道路料金収受システムにおいて、
前記携帯通信端末は、通行料金の決済に用いる携帯通信端末を識別する識別情報を生成する識別情報生成手段と、前記識別情報を送信する識別情報送信手段とを備え、
前記ＥＴＣ車載装置は、前記識別情報を受信する識別情報受信手段と、前記識別情報を記録する識別情報記録手段と、受信する識別情報と事前に記録されている識別情報とを参照して通行料金の決済を行う携帯通信端末を決定する決済端末決定手段とを備える有料道路料金収受システム。
【請求項２】
料金所出入口に設置されたゲートの開閉を制御するゲート装置と通行車両に搭載されたＥＴＣ車載装置との間で無線通信を行って通行料金情報を収受する有料道路料金収受方法において、
通行料金の決済を行うＥＴＣカード機能を備える携帯通信端末が、通行料金の決済に用いる携帯通信端末を識別する識別情報を前記ＥＴＣ車載装置に送信するステップと、
前記ＥＴＣ車載装置が、識別情報記録手段に事前に記録してある識別情報と受信する識別情報とを参照して通行料金の決済を行う携帯通信端末を決定するステップとを備える有料道路料金収受方法。
【請求項３】
通行料金の決済を行うＥＴＣカード機能を備える携帯通信端末と無線通信を行うＥＴＣ車載装置であって、
通行料金の決済に用いる携帯通信端末を識別する識別情報を受信する識別情報受信手段と、
前記識別情報を記録する識別情報記録手段と、
受信する識別情報と前記識別情報記録手段に事前に記録してある識別情報とを参照して、通行料金の決済を行う携帯通信端末を決定する決済端末決定手段とを備えるＥＴＣ車載装置。
【請求項４】
通行料金の決済を行う携帯通信端末を特定できなかったことを警告する警告情報を生成する警告情報生成手段と、
前記決済端末決定手段が、受信した識別情報に該当する識別情報を前記識別情報記録手段から検出できなかったとき、前記警告情報を前記携帯通信端末に送信する警告情報送信手段とを備える請求項３に記載のＥＴＣ車載装置。
【請求項５】
通行料金の決済を行う携帯通信端末を特定できなかったとき、警告を実行する警告実行手段とを備える請求項３または４に記載のＥＴＣ車載装置。
【発明の詳細な説明】
【技術分野】
【０００１】
本発明は、携帯通信端末を利用した有料道路料金収受システム、有料道路料金収受方法およびそれらに用いるＥＴＣ車載装置に関する。
【背景技術】
【０００２】
近年、有料道路において自動通行料金収受システム（ＥＴＣシステム）が普及し始めている。現在運用されているＥＴＣシステムでは、料金所出入口に設置されたアンテナと通過車両に装着されたＥＴＣ車載装置との間で無線通信を行い、通行料金を自動的に算出して、ＥＴＣ車載装置に挿入されたＩＣカード（ＥＴＣカード）の契約口座から引き落としを行うものがある。
【０００３】
現在のＥＴＣシステムにおける課題として、ＥＴＣカードの挿し忘れによる料金所出入口でのゲートロック、抜き忘れによるＥＴＣカード盗難の危険性、カード挿抜の作業の煩雑さが挙げられる。
【０００４】
これらの課題を解決する一手段として、ＥＴＣカード機能を運転手および同乗者の所持する携帯電話等の携帯通信端末に内蔵させ、ＥＴＣ車載装置と携帯通信端末との間で無線通信を行って通行料金の決済情報のやりとりを行うことが提案されている（特許文献１参照）。また、ＥＴＣ車載装置の機能自体も携帯通信端末に内蔵することが提案されている（特許文献２参照）。
【０００５】
このＥＴＣカード機能の内蔵された携帯通信端末が普及した場合、同種の機能を有する携帯通信端末が同一車両に複数台存在する状況が予測されるが、その際、どの携帯通信端末にたいしてＥＴＣ決済を行えばよいかを選択・決定する必要がある。
【０００６】
これに対して、ユーザの事前操作により他の携帯通信端末とは異なる信号をＥＴＣ車載装置もしくは料金所ゲートに送出することにより、決済対象となる携帯通信端末を特定可能にしている有料道路料金支払方法が提案されている（特許文献３参照）。
【特許文献１】特開平１１−７５６２号公報
【特許文献２】特開２００３−２８１５８２号公報
【特許文献３】特開２００３−１８７２８１号公報
【発明の開示】
【発明が解決しようとする課題】
【０００７】
しかしながら、上述の有料道路料金支払方法では、ユーザが決済対象となる携帯通信端末を特定する信号を送信する操作を忘れた場合、ＥＴＣ車載装置は通行料金の決済を行う携帯通信端末を特定することができないため、料金所ゲートとＥＴＣ車載装置は料金情報をやりとりできない。この場合は料金収受のために、料金所ゲートは車両を停車させる必要が生じてしまう。
【０００８】
また、複数の携帯通信端末において同時操作した場合の排他処理が考慮されていない。
【０００９】
本発明は、上記事情に鑑みてなされたもので、ユーザの操作忘れによる料金所ゲートロックの危険性回避を実現し、また、複数の携帯通信端末から登録設定された場合における排他処理を実現することができる有料道路料金収受システム、有料道路料金収受方法およびＥＴＣ車載装置を提供することを目的とする。
【課題を解決するための手段】
【００１０】
本発明の有料道路料金収受システムは、料金所出入口に設置されたゲートの開閉を制御するゲート装置と、前記ゲート装置との間で無線通信を行って通行料金情報を収受するＥＴＣ車載装置と、前記ＥＴＣ車載装置との間で無線通信を行って通行料金の決済を行うＥＴＣカード機能を備える携帯通信端末とを有する有料道路料金収受システムにおいて、前記携帯通信端末は、通行料金の決済に用いる携帯通信端末を識別する識別情報を生成する識別情報生成手段と、前記識別情報を送信する識別情報送信手段とを備え、前記ＥＴＣ車載装置は、前記識別情報を受信する識別情報受信手段と、前記識別情報を記録する識別情報記録手段と、受信する識別情報と事前に記録されている識別情報とを参照して通行料金の決済を行う携帯通信端末を決定する決済端末決定手段とを備える。
【００１１】
この構成により、同種のＥＴＣカード機能を有する携帯通信端末が同一車両に複数台存在する場合であっても、ＥＴＣ車載装置が決済を行う携帯通信端末を一意に特定することができるので、ゲート装置から収受される通行料金情報に基づき通行料金の決済が行われる。したがって、このような場合であっても、ゲート装置は、料金収受のためにゲートをロックして車両を停止させなくてよい。
【００１２】
また、本発明の有料道路料金収受方法は、料金所出入口に設置されたゲートの開閉を制御するゲート装置と通行車両に搭載されたＥＴＣ車載装置との間で無線通信を行って通行料金情報を収受する有料道路料金収受方法において、通行料金の決済を行うＥＴＣカード機能を備える携帯通信端末が、通行料金の決済に用いる携帯通信端末を識別する識別情報を前記ＥＴＣ車載装置に送信するステップと、前記ＥＴＣ車載装置が、識別情報記録手段に事前に記録してある識別情報と受信する識別情報とを参照して通行料金の決済を行う携帯通信端末を決定するステップとを備える。
【００１３】
また、本発明のＥＴＣ車載装置は、通行料金の決済を行うＥＴＣカード機能を備える携帯通信端末と無線通信を行うＥＴＣ車載装置であって、通行料金の決済に用いる携帯通信端末を識別する識別情報を受信する識別情報受信手段と、前記識別情報を記録する識別情報記録手段と、受信する識別情報と前記識別情報記録手段に事前に記録してある識別情報とを参照して、通行料金の決済を行う携帯通信端末を決定する決済端末決定手段とを備える。
【００１４】
この構成により、同種のＥＴＣカード機能を有する携帯通信端末が同一車両に複数台存在する場合であっても、決済を行う携帯通信端末を一意に特定することができる。また、ＥＴＣカードを用いずに、ＥＴＣカード機能を備える携帯通信端末を利用することで、ＥＴＣカードの挿し忘れ・抜き忘れを回避することができる。また、カード挿抜の作業の煩雑さが解消する。
【００１５】
また、本発明のＥＴＣ車載装置は、通行料金の決済を行う携帯通信端末を特定できなかったことを警告する警告情報を生成する警告情報生成手段と、前記決済端末決定手段が、受信する識別情報に該当する識別情報を前記識別情報記録手段から検出できなかったとき、前記警告情報を送信する警告情報送信手段とを備える。
【００１６】
また、通行料金の決済を行う携帯通信端末を特定できなかったとき、警告を実行する警告実行手段とを備える。
【００１７】
この構成により、ユーザが決済を行う携帯通信端末を登録することを忘れていた場合であっても、その旨が警告されるので、ユーザは料金所のゲート装置がゲートをロックするより前に、決済を行う携帯通信端末の登録を行うことができる。また、ユーザは、ゲート装置がゲートをロックするより前に、他のＥＴＣカードを準備する又は通常のゲート（ＥＴＣ専用でないゲート）を利用する等の準備をすることができる。
【発明の効果】
【００１８】
本発明によれば、ユーザの操作忘れによる料金所ゲートロックの危険性回避を実現し、また、複数の携帯通信端末から登録設定された場合における排他処理を実現することができる。
【発明を実施するための最良の形態】
【００１９】
有料道路料金収受方法、有料道路料金収受システム、ＥＴＣ車載装置および携帯通信端末の実施の形態について図面を参照しながら説明する。
【００２０】
図１は、本実施の形態１の有料道路料金システムの構成を示す図である。この有料道路料金システムは、携帯電話１０、ＥＴＣ車載装置２０、ゲートシステム３０から構成される。図１に示すように、ＥＴＣ車載装置２０は、車両２の運転席の近傍に設置されている。携帯電話１０は、助手席の手前に設置されたケース２１に保持されている。
【００２１】
ゲートシステム３０は、車両が料金所で料金支払いのために止まることなく通行することを可能にするものであって、車線の運用状況（ＥＴＣ専用車線、ＥＴＣ混在車線、一般車線の区別）を表示する案内表示器３３、ＥＴＣ車載装置２０と通行料金情報を無線通信するアンテナ３４、開閉動作をするゲート３２、ゲートシステム３０に進入してくる車両を検出する車両検出器３５、各種機器を制御するゲート装置３１により構成される。
【００２２】
図２は、携帯電話１０の外観およびその内部のハードウェア構成を示す図である。同図（Ａ）に示すように、携帯電話機１０は、ヒンジ部１２により開閉自在な上部本体１０ａおよび下部本体１０ｂからなる筐体を有する。
【００２３】
上部本体１０ａには、アンテナ７９、ディスプレイ（ＬＣＤ）パネル７７およびスピーカ８０が設けられている。一方、下部本体１０ｂには、マイク８１およびキー操作部７８が設けられている。キー操作部７８には、設定メニューの選択を行う十字キー７８ａ、複数のディジットキー７８ｂ、通話開始キー７８ｃ、通話終了キー７８ｄ、確認キー７８ｅ等が設けられている。
【００２４】
また、同図（Ｂ）に示すように、携帯電話１０は、その内部に、制御部７２、送受信部７３、内部メモリ７４、ＥＴＣカード部６０、音声処理部７５および画像処理部７６を有する。送受信部７３には、アンテナ７９が接続されている。音声処理部７５には、スピーカ８０およびマイク８１が接続されている。画像処理部７６には、表示部７７が接続されている。キー操作部７８は制御部７２に接続されている。
【００２５】
制御部７２は、バスを介して接続される周知のＣＰＵ、ＲＯＭ、ＲＡＭ等から構成され、ＲＯＭに格納された各種制御プログラムの実行にしたがって、内部メモリ７４や無線通信を行う送受信部７３との間でデータの送受信を行ったり、各部を制御する。内部メモリ７４には、制御部７２で実行される制御プログラムやデータが格納される。
【００２６】
ＥＴＣカード部６０は、ＥＴＣカードの機能が携帯電話１０に内蔵されたものであって、有料道路の通行料金の決済を行うのに必要な料金情報や後述の識別情報等を料金情報記録部６１に記録しており、後日、契約口座との間で引き落としにより決済が行われる。識別情報生成部６２は、ＥＴＣ車載装置２０に携帯電話１０を通行料金の決済端末として識別させるための識別情報を生成する。
【００２７】
また、識別情報生成部６２は、識別情報をＥＴＣ車載装置２０に登録・記録することを要求する登録要求情報と、携帯電話１０がＥＴＣカード機能を具備することを示すＥＴＣ情報、ＥＴＣカード機能６０により決済を行うのに必要な情報とを前述の識別情報に付け加えてＥＴＣ車載装置２０に送信するデータを作成する。
【００２８】
識別情報は、ユーザがキー操作部７８を操作して決定しても良く、また、ランダムに自動で決定しても良い。また、一度ＥＴＣ車載装置２０に識別情報を登録した後は、更新がない限りその識別情報がデータ作成の際に用いられる。
【００２９】
送受信部７３は、制御部７２によって制御され、アンテナ７９を介してＥＴＣ車載装置２０と無線通信を行い、識別情報や料金情報等を送受信する。
【００３０】
音声処理部７５は、マイク８１から入力された音声信号を符号化して制御部７２に送出し、また、送受信部７３で受信した音声信号を復号化してスピーカ８０から出力する。画像処理部７６は、送受信部７３で受信した画像データや、内部メモリ７４に記録された画像データを処理して表示部７７に出力する。キー操作部７８は、各種キーを有し、電話の発信や着信の他、表示部７７に表示される情報のスクロールや選択等を行う。
【００３１】
図３は、ＥＴＣ車載装置２０の機能的構成およびハードウェア構成を示す図である。ＥＴＣ車載装置２０は、前述したように、無線通信により、ゲート装置３１と携帯電話１０とに接続される。
【００３２】
ＥＴＣ車載装置２０は、同図（Ａ）に示すように、周知のＣＰＵ１０１、ＲＯＭ１０２、ＲＡＭ１０３、ネットワークＩ／Ｆコントローラ（ＮＩＣ）１０９、ストレージメモリ１１０、Ｉ／Ｏインタフェース１０６等がバス１０８を介して接続された構成を有する。
【００３３】
Ｉ／Ｏインタフェース１０６には、操作部１０７が接続される。ネットワークＩ／Ｆコントローラ（ＮＩＣ）１０９は、ゲート装置３１または携帯電話１０との接続を制御する。ストレージメモリ１１０は、ハードディスク等の大容量の記録媒体を有する。
【００３４】
ＣＰＵ１０１は、ストレージメモリ１１０に格納された各種の制御プログラムを一旦ＲＡＭ１０３にロードした後、これら各種の制御ブログラムを実行する。
【００３５】
また、ＥＴＣ車載装置２０は、同図（Ｂ）に示すように、送受信部１１４、情報検出部１２０、警告部１１７、決済端末決定部１１８および識別情報記録部１１９からなる機能的構成を有する。情報検出部１２０は、登録情報検出部１１５および識別情報検出部１１６を備える。これらの各部は、ＣＰＵ１０１がＲＯＭ１０２に格納された制御プログラムを実行することによって実現される。
【００３６】
送受信部１１４は、無線通信により、ゲート装置３１、携帯電話１０との間でデータの送受信を行う。識別情報検出部１１６は、送受信部１１４から得られるデータから識別情報とＥＴＣ情報を検出する。登録情報検出部１１５は、送受信部１１４から得られるデータから登録情報を検出する。識別情報記録部１１９は、識別情報検出部１１６が検出した識別情報を記録する。
【００３７】
決済端末決定部１１８は、情報検出部１２０から得られたＥＴＣ情報により、通信対象である携帯電話がＥＴＣカード機能を有しているか否かを判断する。また、決済端末決定部１１８は、識別情報検出部１１６が検出した識別情報と予め識別情報記録部１１９に記録された識別情報とを参照して、決済の対象となる携帯電話を決定する。
【００３８】
警告部１１７は、決済の対象となる携帯電話が特定できない場合、ユーザに対してその旨を警告する。警告は、例えば、音声、文字、静止画像、動画画像又はそれらの組み合わせ等の手段を用いて行えば良く、また、携帯電話１０に警告を実行させる指令を与えて実行しても良い。
【００３９】
次に、図４を参照して、上述した有料道路料金収受システム等の動作について説明する。まず、携帯電話１０において、識別情報Ｄ１と、識別情報Ｄ１をＥＴＣ車載装置２０に登録・記録することを要求する登録要求情報Ｄ２と、携帯電話１０がＥＴＣカード機能を具備することを示すＥＴＣ情報Ｄ３と、ＥＴＣカード機能６０により決済を行うのに必要なＥＴＣカード情報Ｄ４とにより構成されるデータＤ１００が生成される（Ｓ１０１）。このデータＤ１００が送受信部７３によりＥＴＣ車載装置２０に送信される（Ｓ１０２）。
【００４０】
ＥＴＣ車載装置２０の送受信部１１４はデータＤ１００を受信する。そして、データＤ１００が、情報検出部１２０に送付され、各情報が検出される（Ｓ１０３）。このとき、識別情報検出部１１６は、まず、ＥＴＣ情報Ｄ３を検出し、決済端末決定部１１８に送付する。
【００４１】
決済端末決定部１１８は、ＥＴＣ情報Ｄ３により、通信対象となっている携帯電話１０がＥＴＣカード機能を有しているか否かを判断する（Ｓ１０４）。この結果、ＥＴＣカード機能を有していないと判断した場合は、警告部１１７に警告の指示を送付する。一方、ＥＴＣカード機能を有していると判断した場合は、次の処理（Ｓ１０５）に移行する。
【００４２】
次に、決済端末決定部１１８は、識別情報検出部１１６が検出した識別情報Ｄ１と予め識別情報記録部１１９に記録された識別情報とを参照して、一致する識別情報が識別情報記録部１１９に記録されているか否かを検索する（Ｓ１０５）。その結果、一致する識別情報が記録されている場合は、検出した識別情報を送信してきた携帯電話１０を決済端末として決定する（Ｓ１０６）。一方、一致する識別情報が記録されていない場合は、警告部１１７に警告の指示を送付する。
【００４３】
この後、決済端末決定部１１８は、登録情報検出部１１５から登録要求情報Ｄ２が送付されてきた場合は、識別情報Ｄ１に基づき識別情報記録手段１１９の記憶内容を更新する（Ｓ１０７）。
【００４４】
ＥＴＣ車載装置２０の送受信部１１４は、決済端末として決定した携帯電話１０のＥＴＣカード機能に関するＥＴＣカード情報Ｄ４をゲート装置３１に送信する（Ｓ１０８）。ゲート装置３１は、ＥＴＣカード情報Ｄ４に基づき、車両２についての有料道路の料金情報Ｄ５を生成する（Ｓ１０９）。
【００４５】
料金情報Ｄ５は、ＥＴＣ車載装置２０を介して、携帯電話１０に送信され（Ｓ１１０）、表示部７７に料金情報が表示される（Ｓ１１１）。
【００４６】
このように、本実施の形態１では、同種のＥＴＣカード機能を有する携帯通信端末が同一車両に複数台存在する場合であっても、識別情報Ｄ１に基づき、ＥＴＣ車載装置が決済を行う携帯電話１０を一意に特定することができるので、ゲート装置３１から収受される料金情報Ｄ５に基づき通行料金の決済が行われる。したがって、このような場合であっても、ゲート装置３１は、料金収受のためにゲートをロックして車両２を停止させなくてよい。
【００４７】
また、ユーザが決済を行う携帯電話１０が登録することを忘れていた場合であっても、その旨が警告されるので、ユーザは料金所のゲート装置３１がゲートをロックするより前に、決済を行う携帯電話１０の登録を行うことができる。また、ユーザは、ゲート装置３１がゲート３２をロックするより前に、他のＥＴＣカードを準備する又は通常のゲート（ＥＴＣ専用でないゲート）を利用する等の準備をすることができる。
【００４８】
なお、本実施の形態では、警告部１１７が携帯電話に警告の指示を与え、携帯電話に警告を実行させる例について説明したが、警告部１１７自体が、すなわちＥＴＣ車載装置２０が警告を実行しても良い。
【００４９】
この場合、警告部１１７は、ＥＴＣ車載装置２０の周囲にＥＴＣカード機能を有する携帯電話１０が存在しない等の理由により、ＥＴＣ車載装置２０と携帯電話１０とが通信を行えないときでも、ユーザに対して警告を行うことができる。
【産業上の利用可能性】
【００５０】
本発明は、ユーザの操作忘れによる料金所ゲートロックの危険性回避を実現し、また、複数の携帯通信端末から登録設定された場合における排他処理を実現することができる有料道路料金収受システム、有料道路料金収受方法およびＥＴＣ車載装置として有用である。
【図面の簡単な説明】
【００５１】
【図１】有料道路料金収受システムの構成を示す図。
【図２】携帯電話１０の外観およびその内部のハードウェア構成を示す図。
【図３】ＥＴＣ車載装置２０の機能的構成およびハードウェア構成を示す図。
【図４】本実施の形態１の有料道路料金収受システムにおけるデータ処理手順を示すフローチャート。
【符号の説明】
【００５２】
１０  携帯電話
２０  ＥＴＣ車載装置
３０  ゲートシステム
３１  ゲート装置
６０  ＥＴＣカード部
６１  料金情報記録部
６２  識別情報生成部
１１５  登録情報検出部
１１６  識別情報検出部
１１７  警告部
１１８  決済端末決定部
１１９  識別情報記録部
１２０  情報検出部
【図１】
2007102546.tif 000003
【図２】
2007102546.tif 000004
【図３】
2007102546.tif 000005
【図４】
2007102546.tif 000006